(57)【特許請求の範囲】
【請求項１】
装置本体を、
内部に貯留する第一液体を、下部に備えた第一液体流出部から流出可能な第一容器と、
内部に第一液体よりも少量で貯留する第二液体を、下部に備えた第二液体流出部から流出可能な第二容器と、
第一液体と第二液体との２種類の液体を流出する二液流出コックとで構成し、二液を混合する二液混合装置であって、
上記第二容器を上記第一容器の上方に配置するとともに、
上記第二液体流出部から流出した第二液体を上記二液流出コック側へ案内するとともに、案内後の第二液体が上記二液流出コック側へ流出することを許容する案内管流出部を有した液体案内管を備え、
上記二液流出コックを、
上記第一液体流出部と連通するコック第一流入部と、上記案内管流出部と連通するコック第二流入部と、第一液体と第二液体とが流出するコック液体流出部とで構成するとともに、上記コック第一流入部と上記コック第二流入部とを閉塞可能に構成した
二液混合装置。
【請求項２】
第一液体は、塩素系アルカリ性水溶液であり、第二液体は、酸性水溶液であり、
上記第一容器を上記第二容器よりも大きな容積で構成し、
上記第一液体流出部の流路断面と、上記第二液体流出部と上記案内管流出部との間の最小流路断面とを、
上記第一容器と上記第二容器との容積比に応じて上記第一容器から第一液体の流出が完了するよりも上記第二容器から第二液体の流出が先に完了する流路断面比で構成した
請求項１に記載の二液混合装置。
【請求項３】
上記案内管流出部を、上記第一容器の内部に配した
請求項１、又は、請求項２に記載の二液混合装置。
【請求項４】
二液流出コックの内部空間を、
コック第一流入部とコック液体流出部との間で連通する第一液体流路と、
コック第二流入部とコック液体流出部との間で連通する第二液体流路と、
上記第一液体流路と上記第二液体流路とを仕切る仕切り部とで構成した
請求項１から請求項３のうちいずれか１項に記載の二液混合装置。
【請求項５】
液体の通過を許容する開口部を有して、該開口部の開口断面に応じて流量を調節する流量調節部材を、
第一液体の流量を調節する第一液体流量調節部材と第二液体の流量を調節する第二液体流量調節部材とのうち少なくとも一方で構成し、
上記第一液体流量調節部材を、
上記第一液体流出部において互いに交換可能に構成し、
上記第二液体流量調節部材を、
上記液体案内管において互いに交換可能に構成した
請求項１から請求項４のうちいずれか１項に記載の二液混合装置。
【請求項６】
装置本体を、
内部に貯留する次亜塩素酸ナトリウム水溶液からなる主液体を、下部に備えた主液体流出部から流出可能な主容器と、
内部に主液体よりも少量で貯留し、主液体のＰＨ値を調節するＰＨ調節液からなる副液体を、下部に備えた副液体流出部から流出可能な副容器と、
主液体と副液体との２種類の液体を流出する二液流出コックとで構成し、二液を混合して殺菌液を生成する殺菌液生成装置であって、
上記副容器を上記主容器の上方に配置するとともに、
上記副容器流出部から流出した副液体を上記二液流出コック側へ案内するとともに、案内後の副液体が上記二液流出コック側へ流出することを許容する案内管流出部を有した液体案内管を備え、
上記案内管流出部を、上記主容器の内部に配し、
上記主容器を上記副容器よりも大きな容積で構成し、
上記主液体流出部の流路断面と、上記副液体流出部と上記案内管流出部との間の最小流路断面とを、
上記主容器と上記副容器との容積比に応じて上記主容器から主液体の流出が完了するよりも上記副容器から副液の流出が先に完了する流路断面比で構成し、
上記二液流出コックを、
上記主液体流出部と連通するコック第一流入部と、上記案内管流出部と連通するコック第二流入部と、主液体とＰＨ調節液とが流出するコック液体流出部とで構成するとともに、上記コック第一流入部と上記コック第二流入部とを閉塞可能に構成し、
上記二液流出コックの内部空間を、
上記コック主液流入部と上記コック液体流出部との間で連通する主液体流路と、上記コック副液流入部と上記コック液体流出部との間で連通する副液体流路と、上記主液体流路と副液体流路とを仕切る仕切り部とで構成した
殺菌液生成装置。
【発明の詳細な説明】
【技術分野】
【０００１】
この発明は、２種類の液体を混合して混合液を得るための二液混合装置に関し、詳しくは、混合液の主な配合となる主液体と、ＰＨ値など混合液の性状を調節するための副液体との２種類の液体を混合する場合に好適な二液混合装置、及び、該二液混合装置に基いた構成で殺菌液を生成可能に構成される殺菌液生成装置に関する。
【背景技術】
【０００２】
従来、２種類の液体を混合した混合液を得る場合には、例えば、特許文献１において開示するような、内部に貯留した液体を下部に備えた注ぎ口から流出可能に構成した容器が用いられていた。
【０００３】
詳しくは、従来の二液混合装置は、特許文献１に開示の容器を２つ設置し、２つの容器の一方の容器に２種類の液体のうち、一方の液体を貯留し、他方の容器に２種類の液体のうち、他方の液体を貯留しておく。そして、一方の液体を一方の容器の注ぎ口から流出させ、該一方の液体をカップで受ける。続いて一方の液体がカップに所定量だけ溜まったら、そのカップに、他方の容器の注ぎ口から他方の液体を注ぎ込むことで、２種類の液体をカップ内で混合することができる。
【０００４】
上記カップで採取した混合液は、例えば、野菜を入れた容器に水とともに、混入すれば、野菜などの殺菌液として用いることができる。  
しかし、２種類の液体のそれぞれが流出する注ぎ口部材は、容器ごとに別々に備えて相互に離間しているため、１種類の液体ごとにカップに注ぎ込む必要があり、各コップの開閉操作のズレにより流出量が変動するため、混合液の配合調節が困難であるという難点を有していた。
【０００５】
さらに、１種類の液体ごと別々にカップに注ぎ込むため、その度に、注ぎ口部材のコックを開閉操作する必要があり面倒であり、また、カップ内で均質に混ざり合い難く混合液の品質面でも悪影響を及ぼすおそれがあるという難点も有していた。
【先行技術文献】
【特許文献】
【０００６】
【特許文献１】特開２００３−２６２９７号公報
【発明の概要】
【発明が解決しようとする課題】
【０００７】
そこでこの発明は、２種類の液体が均質に混ざり合った良質の混合液を容易に得ることができる二液混合装置、及び、該二液混合装置に基いた構成で次亜塩素酸ナトリウム水溶液とＰＨ調節液とを混合した良質な殺菌液を生成可能に構成される殺菌液生成装置の提供を目的とする。
【課題を解決するための手段】
【０００８】
本発明は、装置本体を、内部に貯留する第一液体を、下部に備えた第一液体流出部から流出可能な第一容器と、内部に第一液体よりも少量で貯留する第二液体を、下部に備えた第二液体流出部から流出可能な第二容器と、第一液体と第二液体との２種類の液体を流出する二液流出コックとで構成し、二液を混合する二液混合装置であって、上記第二容器を上記第一容器の上方に配置するとともに、上記第二液体流出部から流出した第二液体を上記二液流出コック側へ案内するとともに、案内後の第二液体が上記二液流出コック側へ流出することを許容する案内管流出部を有した液体案内管を備え、上記二液流出コックを、上記第一液体流出部と連通するコック第一流入部と、上記案内管流出部と連通するコック第二流入部と、第一液体と第二液体とが流出するコック液体流出部とで構成するとともに、上記コック第一流入部と上記コック第二流入部とを閉塞可能に構成したことを特徴とする。
【０００９】
上記構成によれば、第一液体と第二液体とは、共通の二液流出コックから流出する構成であるため、従来のように液体の種類ごとに備えた容器に取り付けたコックを別々に開閉操作する場合と異なり、二液流出コックの開閉操作のみで第一液体と第二液体との流出、或いは、流出停止を同時に行うことができ、扱いが容易である。
【００１０】
また、本発明の二液混合装置は、上述したとおり２種類の液体を、カップ等の容器に同時に注ぎ込むことが可能となるため、同時に注ぎ込む際に、２種類の液体は、互いに混ざり合い、均質に混ざり合った混合液を得ることができる。
【００１１】
さらに、上述したとおり２種類の液体を、カップ等の容器に同時に注ぎ込むことが可能となるため、別々のコックから２種類の液体のそれぞれを流出させる場合と異なり、コックの開閉操作のタイミングの誤差により混合液の配合比に影響を及ぼすことがない。  
よって、予め、第一液体と第二液体とを所望の配合比で混合することができる。
【００１２】
また、上記第二容器を上記第一容器の上方に設置することにより、第二容器に貯留した第二液体は、第一容器に貯留した第一液体と比較してその位置エネルギを高めることができる。
【００１３】
換言すると、上記第二容器を上方に設置することにより、上記案内管流出部において作用する第二液体の水圧（流出圧力）を高めることができる。  
これにより、第二容器に貯留した第二液体は、第一液体よりも少量でありながら流出が完了するまで流出が途切れることなく流出を継続することができる。
【００１４】
その他にも、上記二液混合装置は、上記第二容器を上記第一容器の上方に配置した構成であるため、上記第二容器と上記第一容器とを並べて配置する場合と比較して設置スペースを要さず、狭い場所でも混合液を得ることができるという効果も得ることができる。
【００１５】
この発明の態様として第一液体は、塩素系アルカリ性水溶液であり、第二液体は、酸性水溶液であり、上記第一容器を上記第二容器よりも大きな容積で構成し、上記第一液体流出部の流路断面と、上記第二液体流出部と上記案内管流出部との間の最小流路断面とを、上記第一容器と上記第二容器との容積比に応じて上記第一容器から第一液体の流出が完了するよりも上記第二容器から第二液体の流出が先に完了する流路断面比で構成することができる。
【００１６】
まず前提として、例えば、最終的に複数のカップごとに小分けされた混合液を得る場合、上記二液流出コックから流出する上記第一液体と上記第二液体とを、複数のカップで順番に所定量ごとに注ぎ込むことを繰り返す作業が行なわれる。
【００１７】
そして、仮に上記第一容器から第一液体の流出が完了するよりも上記第二容器から第二液体の流出が完了するのが遅れた場合、第二液体の流出が完了する直前に採取したカップ内の混合液は、第二液体の占める割合が多くなり、酸性値が強くなる。係る場合、ＰＨ値が下がることで混合液から塩素ガスなどの有害ガスが発生するおそれがある。
【００１８】
よって、上述したように、上記第一液体流出部の流路断面と、上記第二液体流出部と上記案内管流出部との間の最小流路断面とを、上記第一容器から第一液体の流出が完了するよりも上記第二容器から第二液体の流出が先に完了する流路断面比で構成することにより、二液流出コックから液体の流出が完了直前に採取したカップ内の混合液は、アルカリ性である第一液体の占める割合が多くなることがあっても、酸性値が強くなることがない。
【００１９】
従って、流出完了直前にカップ内に採取した混合液についても、塩素ガスなどの有害ガスが発生するおそれがなく安全な混合液を得ることができる。
【００２０】
またこの発明の態様として上記案内管流出部を、上記第一容器の内部に配することができる。
【００２１】
上記構成により、第一流出部から流出する第一液体と、案内流出部から流出する第二液体とを、第一容器の内部において上記二液流出コック側へ同一の流出方向になるよう配設することができる。
【００２２】
よって、第一液体と第二液体とは、同じ条件で上記二液流出コック内に流入させることができ、２種類の液体の配合比が変動することがなく、コック液体流出部から流出させることができる。
【００２３】
さらにまた、液体案内管の略全体を第一容器の内部に配した場合には、液体案内管が上記第一容器の外部に配したように邪魔にならず、すっきりとした良好な見栄えで構成することができる。
【００２４】
またこの発明の態様として二液流出コックの内部空間を、コック第一流入部とコック液体流出部との間で連通する第一液体流路と、コック第二流入部とコック液体流出部との間で連通する第二液体流路と、上記第一液体流路と上記第二液体流路とを仕切る仕切り部とで構成することができる。
【００２５】
上記構成により、上記二液流出コックの内部を、仕切り部を介して第一液体流路と第二液体流路とに仕切りることができるため、例えば、上記二液流出コックの内部に流入した第二液体がコック第一流入部を通じて第一容器側へ逆流するといったことがなく、第一液体と第二液体とを確実にコック液体流出部から流出することができる。
【００２６】
またこの発明の態様として液体の通過を許容する開口部を有して、該開口部の開口断面に応じて流量を調節する流量調節部材を、第一液体の流量を調節する第一液体流量調節部材と第二液体の流量を調節する第二液体流量調節部材とのうち少なくとも一方で構成し、上記第一液体流量調節部材を、上記第一液体流出部において互いに交換可能に構成し、上記第二液体流量調節部材を、上記液体案内管において互いに交換可能に構成することができる。
【００２７】
上記構成により、上記第一液体流量調節部材、及び／又は、第二液体流量調節部材を交換することにより、２種類の液体が所望の配合比になるよう変更でき、２種類の液体の種類が変わっても所望の配合比の混合液を容易に得ることができる。
【００２８】
また本発明は、装置本体を、内部に貯留する次亜塩素酸ナトリウム水溶液からなる主液体を、下部に備えた主液体流出部から流出可能な主容器と、内部に主液体よりも少量で貯留し、主液体のＰＨ値を調節するＰＨ調節液からなる副液体を、下部に備えた副液体流出部から流出可能な副容器と、主液体と副液体との２種類の液体を流出する二液流出コックとで構成し、二液を混合して殺菌液を生成する殺菌液生成装置であって、上記副容器を上記主容器の上方に配置するとともに、上記副容器流出部から流出した副液体を上記二液流出コック側へ案内するとともに、案内後の副液体が上記二液流出コック側へ流出することを許容する案内管流出部を有した液体案内管を備え、上記案内管流出部を、上記主容器の内部に配し、上記主容器を上記副容器よりも大きな容積で構成し、上記主液体流出部の流路断面と、上記副液体流出部と上記案内管流出部との間の最小流路断面とを、上記主容器と上記副容器との容積比に応じて上記主容器から主液体の流出が完了するよりも上記副容器から副液の流出が先に完了する流路断面比で構成し、上記二液流出コックを、上記主液体流出部と連通するコック第一流入部と、上記案内管流出部と連通するコック第二流入部と、主液体とＰＨ調節液とが流出するコック液体流出部とで構成するとともに、上記コック第一流入部と上記コック第二流入部とを閉塞可能に構成し、上記二液流出コックの内部空間を、上記コック主液流入部と上記コック液体流出部との間で連通する主液体流路と、上記コック副液流入部と上記コック液体流出部との間で連通する副液体流路と、上記主液体流路と副液体流路とを仕切る仕切り部とで構成することを特徴とする。
【００２９】
殺菌液生成装置は、上述した二液混合装置に基いた構成で構成することができるため、二液混合装置により奏する上述した様々な作用効果を得ることができる。
【００３０】
例えば、殺菌液生成装置は、２種類の液体が所望の配合比で均質に混合した高品質の混合液を安定的に得ることができるため、殺菌作用が高く、安全な殺菌液を生成することができる。
【発明の効果】
【００３１】
本発明では、２種類の液体が均質に混ざり合った良質の混合液を容易に得ることができる二液混合装置、及び、該二液混合装置に基いた構成で次亜塩素酸ナトリウム水溶液とＰＨ調節液とを混合した良質な殺菌液を生成可能に構成される殺菌液生成装置を提供することができる。
【図面の簡単な説明】
【００３２】
【図１】本実施形態の殺菌液生成装置の外観図。
【図２】本実施形態の殺菌液生成装置の正面中央縦断面図。
【図３】本実施形態の二液流出コックの構成説明図。
【図４】本実施形態の二液流出コックの構成説明図。
【図５】本実施形態の二液流出コックから２種類の液体が流出する様子を断面で示した作用説明図。
【図６】ＰＨ値に応じた次亜塩素酸の存在比をグラフ化した図。
【図７】本実施形態の効果を検証するための検証実験の説明図。
【図８】本実施形態での検証実験の結果を画像で示した図。
【発明を実施するための形態】
【００３３】
この発明の一実施形態を、以下図面を用いて説明する。  
本実施形態における殺菌液生成装置１は、図１から図５に示すように構成している。  
なお、図１は、殺菌液生成装置１の外観図であり、図２は、図１の殺菌液生成装置１の正面視中央縦断面図であり、図３（ａ），（ｂ）は、それぞれ後述する二液流出コック部分の正面図、右側面図であり、図４（ａ）は、図３（ａ）中のＡ−Ａ線断面図であり、図４（ｂ），（ｃ），（ｄ）は、それぞれ図４（ａ）中のＢ−Ｂ線断面図、Ｃ−Ｃ断面図、Ｄ−Ｄ線矢視図である。
【００３４】
殺菌液生成装置１は、大別すると、主液体１０ａを内部に貯留可能な主容器１０と、主液体１０ａのＰＨ値を調節するＰＨ調節液としての酸性化液３０ａを内部に封入する酸性化液封入袋３０と、主液体１０ａと酸性化液３０ａとを同時に流出させる二液流出コック４０と、二液流出コック４０と酸性化液封入袋３０との間に配した液体案内チューブ６０とで構成している。
【００３５】
上記主容器１０は、主液体１０ａとして次亜塩素酸ナトリウム水溶液を最大２０リットルで貯留可能な縦長のポリタンク（樹脂製容器）で形成した主容器本体１１と、主容器１０の下部に備え、容器本体を着脱可能に設置する樹脂製の主容器設置基台１２とで構成している。
【００３６】
主容器本体１１の上部であって平面視前方中央部には、開口部１４を形成し、その側方には、液体案内チューブ６０の容器本体内部への挿通を許容するチューブ挿入孔１５を形成している。さらに、主容器本体１１の上部であって、平面視後方中央部には、上方へ突出し、酸性化液封入袋３０を装着可能な袋装着部１６を主容器本体１１と一体に形成している。
【００３７】
上記開口部１４には、該開口部１４を閉塞可能な蓋１７を備え、該開口部１４の周縁部には、蓋１７を取り付け可能に円筒状に突出した筒状突出部１９を形成している。
【００３８】
また、蓋１７や筒状突出部１９には、筒状突出部１９に対する締め付け具合により、主容器本体１１の内部と外側との通気性を確保するための僅かな導通（隙間）を構成することができる。これにより、主容器本体１１に貯留した主液体１０ａの増減に関らず、主容器本体１１の内部の圧力を略大気圧と同じ圧力に保つことができる。  
なお、蓋１７の上面には、主容器本体１１の内部の圧力を略大気圧と同じ圧力に保つことができる空気孔を別途、形成してもよい。
【００３９】
蓋１７は、円形状をした蓋本体部１７Ａと、該蓋本体部１７Ａの外周縁部から一方向へ円筒状に突出した容器本体取付け部１７Ｂとで形成している。筒状突出部１９の外周部には、蓋側螺合部１８Ａを形成し、容器本体取付け部１７Ｂの内周部には、上記蓋側螺合部１８Ａと螺合可能な容器側螺合部１８Ｂを形成している（図２の領域Ｙの拡大図参照）。
【００４０】
主容器本体１１の底面は、前方に対して後方が高くなるよう傾斜した傾斜底面部２２を有して構成し、下部前方には、開口した主液体流出孔２１を形成し、該主液体流出孔２１の周縁部には、二液流出コック４０を取り付け可能に外側へ突出したコック取付け部２３を形成している。
【００４１】
主容器設置基台１２は、主容器本体１１の下部を嵌め込んで設置可能な凹状に構成し、該凹底部分は、上記主容器本体１１の傾斜底面を当接支持可能に、前方部分に対して後方部分が高くなるよう傾斜した傾斜凹底面部２４を有して構成している。
【００４２】
袋装着部１６は、袋装着台２５と、該袋取付け板２６とで構成している。  
袋装着台２５は、その前面を上下方向に対して１５度の勾配で後傾した傾斜面で形成し、該前面に、袋取付け板２６の下部を当接した状態で一体に取り付けている。  
袋取付け板２６は、酸性化液封入袋３０の一方の面を設置可能な大きさで形成し、上端部には、酸性化液封入袋３０を吊り下げ可能なフック２７を形成している。
【００４３】
また、酸性化液封入袋３０は、酸性化液３０ａを最大で２リットル封入可能な可撓性を有する袋本体部３１と、袋本体部３１の長手方向の一端側に形成した袋流出部３５を閉塞可能な袋栓部材３２とで構成している。  
なお、酸性化液３０ａは、弱酸性である希塩酸で生成している。
【００４４】
上記袋本体部３１の長手方向の他端部には、上記フック２７に係合可能なフック係合孔３３を形成している。これにより、上記酸性化液封入袋３０は、上下方向に対して１５度の角度で上方が後傾した姿勢で袋取付け板２６に設置され、フック係合孔３３を上記フック２７に係合した状態で袋流出部３５が下部に位置するよう上下逆さまで吊り下げている。
【００４５】
また、袋栓部材３２には、液体案内チューブ６０の長手方向の一端部を挿入して、嵌合保持可能なチューブ取付け部３４を形成している。
【００４６】
続いて二液流出コック４０について図３、図４を用いて説明する。二液流出コック４０は、コック本体部材４１と、該コック本体部材４１に対して回動自在に構成した回転ノズル部材５１とで構成している。
【００４７】
上記コック本体部材４１は、上記回転ノズル部材５１を回動自在に保持する円筒状保持部４２と、主容器本体１１の下部前方のコック取付け部２３に取り付け可能な主容器取付け部４３とで構成している。
【００４８】
上記円筒状保持部４２は、円筒状で形成した上記回転ノズル部材５１を挿通保持可能に形成し、該円筒状保持部４２の周方向の一部分に、外側コック酸性化液流入孔４４ａと外側コック主液体流入孔４４ｂとのそれぞれを上下各側に配設している（図４参照）。
【００４９】
外側コック酸性化液流入孔４４ａは、円筒状保持部４２の半径方向の外側から内側へ酸性化液３０ａを流入可能に円孔形状で形成している。該外側コック酸性化液流入孔４４ａの周縁部には、径外方向へ管状に突出し、該外側コック酸性化液流入孔４４ａと連通する連通孔を内部に有した液体案内チューブ取付け管４６を円筒状保持部４２と一体に形成している。
【００５０】
液体案内チューブ取付け管４６の先端部は、液体案内チューブ６０を連結可能に形成している。
【００５１】
外側コック主液体流入孔４４ｂは、外側コック酸性化液流入孔４４ａの下部において該外側コック酸性化液流入孔４４ａよりも大きく開口した円孔形状で形成している。
【００５２】
上記主容器取付け部４３は、円筒状保持部４２の周方向の一部分から該円筒状保持部４２に対して径外方向へ外側コック主液体流入孔４４ｂと外側コック酸性化液流入孔４４ａとを包囲するようにして円筒状に突出した主容器取付け基端部４３Ａと、該主容器取付け基端部４３Ａに対して鍔状に形成し、主容器１０のコック取付け部２３に嵌合可能な凹状の嵌め込み凹部４３Ｂとで構成している。
【００５３】
上記主容器取付け部４３の上記主容器取付け基端部４３Ａの内側空間相当部分であって、主液体流出孔２１に相当する部分には、主液体流量調節部材７１を着脱可能な主液体流量調節部材取付け部４７を構成している。上記主液体流量調節部材７１は、主液体１０ａが主容器１０から二液流出コック４０へ流入する流入量を規制することにより調節可能な合成樹脂製の円板状部材である。
【００５４】
詳しくは、上記主液体流量調節部材７１は、主液体流量調節部材取付け部４７に取り付けたとき、液体案内チューブ取付け管４６に対応する部分を該液体案内チューブ取付け管４６を挿通可能に切り欠いた管挿通用切欠き孔７２と、外側コック主液体流入孔４４ｂに対応する部分を、該外側コック主液体流入孔４４ｂと連通可能に開口した主液体流出規制孔７３とを有して形成している。
【００５５】
上記主液体流出規制孔７３は、外側コック主液体流入孔４４ｂを通過する直前の主液体の通過量を規制可能に外側コック主液体流入孔４４ｂよりも小さな流路断面（開口断面）で形成している。
【００５６】
上記主液体流量調節部材７１は、外側コック主液体流入孔４４ｂを互いに異なる流路断面で形成したものを複数箇備え、主液体流量調節部材取付け部４７に対して所望の主液体流量調節部材７１を着脱可能に構成している。
【００５７】
回転ノズル部材５１は、ノズル本体部５２と摘み部５３とで構成している。  
摘み部５３は、回転ノズル部材５１の上端部において周方向の一端側から径外方向へ突出している。
【００５８】
ノズル本体部５２は、上部が閉塞した円筒状に形成し、その周方向の一部分に上記外側コック酸性化液流入孔４４ａと連通可能な内側コック酸性化液流入孔５４ａを形成するととともに、上記外側コック主液体流入孔４４ｂと連通可能に、内側コック主液体流入孔５４ｂを形成している。
【００５９】
内側コック主液体流入孔５４ｂは、上記外側コック主液体流入孔４４ｂと略同じ円孔形状で形成している。  
内側コック酸性化液流入孔５４ａは、ノズル本体部５２の外周面において周方向に沿って長い長孔形状で形成している（図４（ｂ）参照）。
【００６０】
ノズル本体部５２を円筒状保持部４２に対して回転することにより、その回転角度によって、外側コック酸性化液流入孔４４ａと内側コック酸性化液流入孔５４ａとが連通し、且つ、外側コック主液体流入孔４４ｂと内側コック主液体流入孔５４ｂとが連通した状態に設定することができる。
【００６１】
その他にも、外側コック酸性化液流入孔４４ａと内側コック酸性化液流入孔５４ａとが連通するが、外側コック主液体流入孔４４ｂは閉塞した状態に設定することができ、また、外側コック酸性化液流入孔４４ａと外側コック主液体流入孔４４ｂとの双方が閉塞した状態にも設定することもできる。
【００６２】
ノズル本体部５２の内部空間は、仕切り板５７を備え、該仕切り板５７により内部空間を、内側コック主液体流入孔５４ｂとノズル側主液体流出孔５５ｂとの間を連通する主液体流路部５６ｂと、内側コック酸性化液流入孔５４ａとノズル側酸性化液流出孔５５ａとの間を連通する酸性化液流路部５６ａとに区分けしている。
【００６３】
ノズル側主液体流出孔５５ｂとノズル側酸性化液流出孔５５ａとは、ノズル本体部５２の下端部において互いに隣合うように配置している。
【００６４】
最後に液体案内チューブ６０について詳述する。液体案内チューブ６０は、可撓性を有した長尺な中空部材である。液体案内チューブ６０の長さ方向の一端部側には、液体がチューブ内へ流入することを許容するチューブ液体流入部６１を備え（図２中の領域Ｘの拡大図参照）、長さ方向の他端部側には、チューブ内の液体が流出することを許容するチューブ液体流出部６２を備えている。
【００６５】
液体案内チューブ６０は、チューブ液体流入部６１を酸性化液封入袋３０側へ連結し、また、チューブ液体流出部６２を二液流出コック４０側へ連結している。液体案内チューブ６０は、主容器本体１１に形成したチューブ挿入孔１５を通じて主容器本体１１の内側と外側において連通するよう配している。
【００６６】
詳しくは、チューブ液体流入部６１は、酸性化液封入袋３０の袋栓部材３２における上記チューブ取付け部３４に挿通保持されている。さらに、チューブ液体流入部６１には、袋栓部材３２に挿通した状態において酸性化液流量調節部材８１を挿着している（図２中の領域Ｘの拡大図参照）。
【００６７】
酸性化液流量調節部材８１は、上記酸性化液封入袋３０に封入された上記酸性化液３０ａが所望の流量で液体案内チューブ６０側へ流入可能とする流路断面となる中空断面を有した円筒状部材で構成している。
【００６８】
続いて、上述した殺菌液生成装置１を用いて殺菌液を生成する実施例をもとに殺菌液生成装置１が奏する作用について図５を用いて説明する。  
なお、本実施例においては、主容器１０に、主液体１０ａを１８リットルの容量で貯留し、酸性化液封入袋３０に、酸性化液３０ａを２リットルの容量で貯留しているものとする。
【００６９】
さらに、主液体流量調節部材７１は、主液体流出規制孔７３が液体案内チューブ６０の内径よりも小径である、例えば、φ８．０ｍｍ〜φ９．０ｍｍのうち、φ８．５ｍｍのものを用い、酸性化液流量調節部材８１には、内径が例えば、φ３．５ｍｍ〜φ４．５ｍｍのうち、φ４ｍｍのを用いている。
【００７０】
換言すると、主液体流量調節部材７１での流路断面と、酸性化液流量調節部材８１での流路断面とを、約４．５：１の流路断面比となるよう構成している。
【００７１】
なお、酸性化液流量調節部材８１を、液体案内チューブ６０のチューブ液体流入部６１に対して挿着するには、チューブ液体流入部６１の周辺部分に対して熱を付与し、当該部分を軟化させた状態とすれば、該チューブ液体流入部６１に対して酸性化液流量調節部材８１を容易に挿脱することができる。
【００７２】
殺菌液生成装置１から２種類の液体を流出するにはまず、二液流出コック４０の摘みを捻り、二液流出コック４０を開栓する。詳しくは、ノズル本体部５２に対して回転ノズル部材５１を回転させることで、図４（ｃ）に示すように、コック主液体流入孔４４ｂ，５４ｂ（外側コック主液体流入孔４４ｂと内側コック主液体流入孔５４ｂ）が連通する。同時に、図４（ｂ）に示すように、コック酸性化液流入孔４４ａ，５４ａ（外側コック酸性化液流入孔４４ａと内側コック酸性化液流入孔５４ａ）が連通する。
【００７３】
これにより、主液体１０ａは、主液体流出孔２１、及び、コック主液体流入孔４４ｂ，５４ｂを通じて主容器１０から二液流出コック４０の内部空間へ流出する。
【００７４】
その際、主容器本体１１の内部では、貯留した主液体１０ａが徐々に減少するに連れ、通常であれば容器内の圧力が高くなる。ところが、蓋１７を筒状突出部１９に対して軽く閉めておくことにより、蓋１７と筒状突出部１９との間には、通気用の隙間が確保され、開口部１４を空気孔として用いることができる。
【００７５】
よって、主容器本体１１の内圧が高くなることがなく、主容器本体１１からスムーズに主液体１０ａを流出させることができる。
【００７６】
さらに、主液体１０ａが主液体流出孔２１を通過する際、主液体１０ａは、主液体流量調節部材７１の主液体流出規制孔７３を通過することになるため（図５参照）、主液体流出規制孔７３の流路断面に応じた所望の流出量で二液流出コック４０側へ流出することができる。
【００７７】
一方、酸性化液３０ａは、酸性化液封入袋３０から液体案内チューブ６０を通じて液体案内チューブ取付け管４６へ流れ込んだ状態から、さらに、チューブ液体流出部６２、及び、コック酸性化液流入孔４４ａ，５４ａを通じて二液流出コック４０側へ流入する。
【００７８】
その際、袋本体部３１は、可撓性を有して形成しているため、酸性化液３０ａが流出するに連れ、全体が収縮し、袋本体部３１内の圧力が高くならないため、酸性化液３０ａの流出が阻害されることがない。
【００７９】
そして、酸性化液３０ａが酸性化液封入袋３０からチューブ液体流入部６１へ流入する際、チューブ液体流入部６１に備えた酸性化液流量調節部材８１を通過することになる（図２の領域Ｘの拡大図参照）。このため、酸性化液流量調節部材８１の流路断面に応じた所望の流出量で二液流出コック４０側へ流出することができる。
【００８０】
上述により、主液体は、コック主液体流入孔４４ｂ，５４ｂを通じて二液流出コック４０側に流入し、酸性化液３０ａと混合することなく主液体流路部５６ｂを通過してノズル側主液体流出孔５５ｂから流出する（図５参照）。
【００８１】
一方、酸性化液３０ａは、コック酸性化液流入孔４４ａ，５４ａを通じて二液流出コック４０側に流入し、主液体１０ａと混合することなく酸性化液流路部５６ａを通過してノズル側酸性化液流出孔５５ａから流出する（図５参照）。
【００８２】
上述した殺菌液生成装置１は、以下のような様々な効果を奏することができる。  
上記構成によれば、二液流出コック４０に備えた摘み部５３による開閉操作のみで主液体１０ａと酸性化液３０ａとの流出、或いは、流出停止を同時に行うことができ、従来のように、液体の種類ごとに備えた容器に取り付けたコックを別々に開閉操作する場合と異なり、コックの開閉操作が容易である。
【００８３】
さらに、コックの開閉操作のタイミングの誤差により、殺菌液の配合比に影響を受けることがないため、主液体１０ａと酸性化液３０ａとを所望の配合比で混合することができる。
【００８４】
また、ノズル側主液体流出孔５５ｂとノズル側酸性化液流出孔５５ａとは、ノズル本体部５２の下端部において互いに並べて配置しているため、主液体１０ａと酸性化液３０ａとが互いに並んで流出するため、流れ落ちる際や容器（図示せず）に注ぎ込まれた際に、互いに混ざり合い易く、均質に混ざり合った良質な殺菌液を得ることができる。
【００８５】
さらにまた、二液流出コック４０から流出前には、２種類の液体が互いに混ざり合わないよう流路を仕切り板５７等により区分けした構成であるため、装置本体内で不測に２種類の液体が混ざり合い、人体にとって有害なガスが生成することを防ぐことができる。
【００８６】
さらにまた、殺菌液生成装置１は、酸性化液封入袋３０を主容器１０の上方に配置した構成である。
【００８７】
このため、酸性化液封入袋３０に貯留した酸性化液３０ａは、主容器１０に貯留した主液体１０ａと比較してその位置エネルギを高めることができる。
【００８８】
換言すると、酸性化液封入袋３０を上方に設置することにより、上記チューブ液体流出部６２においてかかる酸性化液３０ａの水圧（流出圧力）を高めることができる。  
これにより、酸性化液封入袋３０に貯留した酸性化液３０ａは、主液体１０ａよりも少量で流出するにも関らず、酸性化液３０ａの流出が途切れることがなく流出が完了するまで一定の流出量を持続させることができる。
【００８９】
その他にも、酸性化液封入袋３０と主容器１０とを並べて配置する場合と比較して設置スペースを要さず、狭い場所でも混合液を生成できるというメリットも有する。
【００９０】
また、殺菌液生成装置１は、上述したとおりチューブ液体流出部６２を、主容器１０の内部に配した構成である。
【００９１】
構成により、主容器１０の内部の主液体流出孔２１において液体案内チューブ取付け管４６と主液体流出規制孔７３とを上下方向に並設することができる。これにより、主液体流出規制孔７３から流出する主液体１０ａと、チューブ液体流出部６２から流出する酸性化液３０ａとを、二液流出コック４０内に対して同一の流入方向で流入するよう配設することができる（図４（ａ），（ｄ）参照）。
【００９２】
よって、主液体１０ａと酸性化液３０ａとを、二液流出コック４０内に同じ条件で流入させることができ、主液体１０ａと酸性化液３０ａとがノズル側流出孔５５ａ，５４５ｂ（ノズル側主液体流出孔５５ｂ、及び、ノズル側酸性化液流出孔５５ａ）から流出する際の流出量に変動を来たすことがなく、２種類の液体の配合比が変動することがない。
【００９３】
さらにまた、液体案内チューブ６０の略全体を主容器本体１１の内部に配することにより、液体案内チューブ６０が邪魔にならず、すっきりとした良好な見栄えで構成することができる。
【００９４】
また、二液流出コック４０の内部空間を、仕切り板５７を介して主液体流路部５６ｂと酸性化液流路部５６ａとに仕切りることができるため、例えば、二液流出コック４０の内部に流入した酸性化液３０ａが主液体流路部５６ｂを通じて主容器本体１１側へ逆流し、主液体１０ａと酸性化液３０ａとが不測に混ざり合うといったことがなく、主液体１０ａと酸性化液３０ａとを確実にノズル側流出孔５５ａ，５４５ｂから流出することができる。
【００９５】
また、主液体流量調節部材７１と、酸性化液流量調節部材８１とをそれぞれ複数備え、主液体流量調節部材７１は、主液体流出部において互いに交換可能に構成し、酸性化液流量調節部材８１は、チューブ液体流入部６１において互いに交換可能に構成している。
【００９６】
上記構成により、２種類の液体の配合比が所望の配合比になるよう容易に変更でき、２種類の液体の種類が変わっても所望の配合比の混合液を得ることができる。
【００９７】
また、上述したように、主液体流量調節部材７１での流路断面と、酸性化液流量調節部材８１での流路断面とを、約４〜５．０：１の範囲となる約４．５：１の流路断面比で構成している。
【００９８】
これにより、所望の流出量比で主液体１０ａと酸性化液３０ａとを二液流出コック４０から流出させることができ、次亜塩素酸を大量に含有した優れた殺菌作用を有する殺菌水を生成することができる。さらに、ＰＨ値が４〜７の範囲内に収まり、塩素ガスが発生するおそれのない安全性の高い殺菌液を得ることができる。
【００９９】
（実施例）  
ところで、殺菌液生成装置１により生成した殺菌液は、例えば、野菜洗浄用の洗浄液として用いることができる。
【０１００】
詳しくは、例えば、野菜を収容可能な大きさの野菜洗浄容器（図示せず）を複数用意し、該複数の野菜洗浄容器のそれぞれに、上記殺菌液生成装置１により生成した殺菌液を少量づつ注ぎ込み、野菜洗浄容器に溜めた水で希釈することにより野菜洗浄用の洗浄液を生成することができる。
【０１０１】
野菜洗浄用の洗浄液に用いる殺菌液は、二液流出コック４０から流出する主液体１０ａと酸性化液３０ａとを下側からカップで受け、所定量に達するまでカップに注ぎ込み、所定量に達すると別のカップで受けるという作業を流出開始から流出完了まで繰り返すことで、最終的に複数のカップごとに小分けした形で得ることができる。
【０１０２】
なお、この小分けした複数のカップ内の混合液は、上述したように、複数の野菜洗浄容器のそれぞれに混入して用いることができるが、それ以外にも、１つの野菜洗浄容器を用いて複数回に亘って野菜洗浄する際にその各回ごとに混入して用いるなど用途は限定しない。
【０１０３】
上述した複数のカップごとに小分けした殺菌液は、全てのカップにおいて所望の配合比で混合することが望ましい。
【０１０４】
仮に所望の配合比で混合されない殺菌液が小分けされたとしても、主液体１０ａと酸性化液３０ａとの所望の配合比に対して酸性化液３０ａの配合比が大きくならないことが重要である。
【０１０５】
なぜなら、混合液中に酸性化液３０ａが占める割合が多くなると、酸性値が強くなるからである。具体的には、ＰＨ値が４．０〜４．５以下になると、図６に示したグラフのように、塩素ガスなどの有毒ガスが遊離し、人体にとって危険な状態になるからである。  
なお、図６のグラフは、主液体１０ａとしての次亜塩素酸ナトリウムに酸性化液３０ａを加え、ＰＨ値が４．５から６．５の間になるまでＰＨ値を調節することで殺菌液としての次亜塩素酸を生成する様子を示している。また、酸性化液３０ａをさらに加え、ＰＨ値が４．０〜４．５以下になると、人体にとって有害な塩素ガスが発生する様子を示している。
【０１０６】
このような前提において本実施例の殺菌液生成装置１では、上述したように、主液体流出規制孔７３の流路断面と、酸性化液流量調節部材８１の内径の流路断面とを、主容器１０と酸性化液封入袋３０との容積比に応じて主容器１０から主液体１０ａの流出が完了するよりも酸性化液封入袋３０から酸性化液３０ａの流出が先に完了する流路断面比で構成している。
【０１０７】
具体的には、主液体１０ａと酸性化液３０ａとを、それぞれ９（１８リットル）：１（２リットル）の容量比になるよう主容器１０と酸性化液封入袋３０とに貯留した本実施例の殺菌液生成装置１において、上述したように、主液体流量調節部材７１での流路断面と、酸性化液流量調節部材８１での流路断面とを、約４．５：１の流路断面比で構成している。
【０１０８】
この構成により、主容器１０から主液体１０ａの流出が完了するよりも酸性化液封入袋３０から酸性化液３０ａの流出が完了するのが遅れることがない。
【０１０９】
従って、複数のカップ内の混合液のうち、二液流出コック４０からの液体の流出が完了直前に採取したカップ内の混合液は、アルカリ性である主液体１０ａの占める割合が多くなることがあっても、いずれも酸性値が強くなることがなく、塩素ガスなどの有害ガスが発生するおそれがなく安全な混合液を得ることができる。
【０１１０】
続いて、主液体１０ａと酸性化液３０ａとの容量比、及び、主液体流量調節部材７１と酸性化液流量調節部材８１との流路断面比を上述した設定の下、殺菌液生成装置１からＡ液とＢ液を流出させ、複数のカップに小分けした混合液の配合比を確認する簡易実験を行なった。
【０１１１】
なお、Ａ液は、主液体１０ａの代わりとして用いる無色のサンプル液であり、Ｂ液は、Ａ液との混ざり具合を一目で視認できるよう紅色に着色した、酸性化液３０ａの代わりとして用いる有色のサンプル液である。
【０１１２】
本実験では、図７に示すように、Ｎｏ．１からＮｏ．９の９つのカップを用意し、１つのカップ１００を順に、３０秒で混合液１０１が所定量に達するようＡ液１０２とＢ液１０３との２種類の液体を流出させ、流出開始から流出完了までトータルで４分２５秒（誤差±５秒）の間に９つのカップ１００全てに混合液１０１を採取した。
【０１１３】
本実験の実験結果を、図８に示す。  
なお、図８は、流出直後から流出完了までに殺菌液を貯留した９つのカップを左側から右側へ並べたものである。
【０１１４】
本実験結果では、Ｎｏ．１からＮｏ．８のカップ内の混合液（正面視右端部に設置したカップ内の混合液を除いたもの）は、いずれも薄い紅色となり同じ色の度合いとなり、Ａ液とＢ液とが均質に混ざり合っていることが分かった。
【０１１５】
そして、実験完了直前に採取したＮｏ．９のカップ内の混合液（正面視右端部に設置したカップ内の混合液）は、略無色透明色になったことからＢ液よりもＡ液の配合の方が濃くなったことが分かった。
【０１１６】
これにより、最終的に主液体１０ａの代わりとして用いたＡ液の流出が完了するよりも酸性化液３０ａの代わりとして用いたＢ液の流出が先に完了することが実証できた。
【０１１７】
よって、殺菌液生成装置１を用いて主液体１０ａとしての塩素系アルカリ水溶液と、酸性化液３０ａとを混合させる際に、流出完了直前にカップ内に採取した混合液においても、塩素ガスなどの有害ガスが発生するおそれがなく安全な混合液が得られることを確認できた。
【０１１８】
上述した実施形態と、この発明の構成との対応において、
主液体流出孔２１は、第一液体流出部、又は、主液体流出部に対応し、
酸性化液封入袋３０は、第二容器、又は、副容器に対応し、
ノズル側酸性化液流出孔５５ａ、及び、ノズル側主液体流出孔５５ｂは、コック液体流出部に対応し、
主液体流路部５６ｂは、第一液体流路、又は、主液体流路に対応し、
酸性化液流路部５６ａは、第二液体流路、又は、副液体流路に対応し、
液体案内チューブ６０は、液体案内管に対応し、
チューブ液体流出部６２は、案内管流出部に対応し、
主液体流量調節部材７１は、第一液体流量調節部材に対応し、
酸性化液流量調節部材８１は、第二液体流量調節部材に対応するものとする。
【符号の説明】
【０１１９】
１…殺菌液生成装置
１０…主容器
２１…主液体流出孔
３０…酸性化液封入袋
４０…二液流出コック
５５ａ…ノズル側酸性化液流出孔
５６ａ…酸性化液流路部
５５ｂ…ノズル側主液体流出孔
５６ｂ…主液体流路部
６０…液体案内チューブ
６２…チューブ液体流出部
７１…主液体流量調節部材
８１…酸性化液流量調節部材
【図１】
0005424741.tif 000002
【図２】
0005424741.tif 000003
【図３】
0005424741.tif 000004
【図４】
0005424741.tif 000005
【図５】
0005424741.tif 000006
【図６】
0005424741.tif 000007
【図７】
0005424741.tif 000008
【図８】
0005424741.tif 000009